(57)【要約】      （修正有）【課題】重要な操作釦に対する誤操作を防止しつつ、通常の操作釦に対する操作の利便性を維持することのできる操作装置および該操作装置を備えた画像処理装置を提供する。【解決手段】操作部２０を操作する操作者の視線を検出する視線検出部を有し、操作者から操作を受けた操作釦が視線要に設定された操作釦（たとえば、スタート釦３２）の場合は、該操作釦に対する操作を受けたときに該操作釦に対して操作者の視線がある場合にのみ該操作釦に対する操作を有効とし、操作者から操作を受けた操作釦が視線不要に設定された操作釦（たとえば、テンキー）の場合は、該操作釦に対する操作を受けたときに該操作釦に対して操作者の視線があるか否かに係らず該操作釦に対する操作を有効にする。【選択図】図５
2015028733.tif 000002
【特許請求の範囲】
【請求項１】
第１種の操作釦と第２種の操作釦を有する操作部と、
前記操作部を操作する操作者の視線を検出する視線検出部と、
前記操作部が有する操作釦に対する操作の有効・無効を判定する判定部と
を備え、
前記判定部は、操作者から操作を受けた操作釦が前記第１種の操作釦の場合は、該操作釦に対する操作を受けたときに該操作釦に対して操作者の視線がなければ前記操作を無効とし、操作者から操作を受けた操作釦が前記第２種の操作釦の場合は、該操作釦に対する操作を受けたときに該操作釦に対して操作者の視線があるか否かを該操作釦に対する操作の有効・無効を判定する条件に含めない
ことを特徴とする操作装置。
【請求項２】
前記第１種の操作釦は、処理の実行開始、入力の確定、処理の中止、入力値のリセットのいずれかの指示を受ける操作釦であり、
前記第２種の操作釦は、処理の実行開始と、入力の確定と、処理の中止と入力値のリセット以外の指示を受ける操作釦である
ことを特徴とする請求項１に記載の操作装置。
【請求項３】
前記操作部が有する操作釦毎に、前記第１種の操作釦に設定するか前記第２種の操作釦に設定するかを切り替える設定切替部を有する
ことを特徴とする請求項１または２に記載の操作装置。
【請求項４】
複数種類のジョブについて、ジョブの設定投入の操作を受け付ける機能を有し、
前記設定切替部は、所定の操作釦を前記第１種の操作釦に設定するか前記第２種の操作釦に設定するかを、前記操作部で設定投入の操作を受けるジョブの種類に応じて変更する
ことを特徴とする請求項３に記載の操作装置。
【請求項５】
各種の画面を表示する表示部を備え、
前記設定切替部は、所定の操作釦を前記第１種の操作釦に設定するか前記第２種の操作釦に設定するかを、前記表示部に表示された画面に応じて変更する
ことを特徴とする請求項３に記載の操作装置。
【請求項６】
操作者の視線が、操作を受けた操作釦の存在範囲または該操作釦の中央の所定範囲にある場合に、該操作釦に対して操作者の視線があると判定する
ことを特徴とする請求項１乃至５のいずれか１つに記載の操作装置。
【請求項７】
画像処理部と、
前記画像処理部で行うジョブの投入の操作を受け付ける請求項１乃至６のいずれか１つに記載の操作装置と
を有する
ことを特徴とする画像処理装置。
【発明の詳細な説明】
【技術分野】
【０００１】
本発明は、操作者の視線を検出して操作の有効・無効を判定する操作装置および画像処理装置に関する。
【背景技術】
【０００２】
近年、ユーザの視線を検出して、操作の可否等を制御する技術が各種提案されている。
【０００３】
たとえば、携帯端末において、ユーザの視線が表示画面内にあるか否かを判定し、ユーザの視線が表示画面内にある場合に、キー操作部を有効にする技術がある（特許文献１参照）。
【０００４】
また、カーナビゲーション装置において、運転者の視線を検出し、運転者がナビゲーション装置のモニタに視線を向けているときは、操作キーを非表示にしたり、画面全体を非表示にしたりする技術がある（特許文献２参照）。
【０００５】
また、特許文献３には、文字一覧の中から入力したい文字に視線を合わせて所定の決定操作を行うと、視線を合わせた文字が文字入力される視線入力装置において、決定操作を行った時点で視線が文字から多少ずれていても、視線の位置の時系列な変化に基づいて視線のずれを判断して、ユーザが所望する文字が入力される技術が開示されている。
【先行技術文献】
【特許文献】
【０００６】
【特許文献１】特開２０１２−１４２８７８号公報
【特許文献２】特開２００７−４５１６９号公報
【特許文献３】特開２０１０−２６７０７１号公報
【発明の概要】
【発明が解決しようとする課題】
【０００７】
キー操作の誤入力には、取り返しがつく（間違えても影響が少ない）場合と、取り返しがつかない（間違えると影響が大きい）場合がある。たとえば、ファクシミリ装置において、宛先や各種の設定のために文字や数字を入力している場合には、間違った文字や数字の入力釦を押下しても、入力内容の表示を見れば、間違ったことに気が付いて、修正して再入力することができる。この場合、誤入力があっても取り返しがつく。
【０００８】
一方、ジョブの実行開始操作、リセット操作、メモリからのデータの削除操作などは、誤入力の影響が大きく、取り返しがつかない。たとえば、使い慣れた操作者が、操作釦を見ずに操作している場合に、間違えて送信釦を押してしまうと、送信処理が開始されてしまう。そして、送信完了の表示を見て、送信が実行されたことに初めて気付いたような場合には、もう取り返しがつかない。
【０００９】
特許文献１、２のように表示画面を見ているか否かを、キー操作の有効・無効の判断基準とする技術では、誤操作しても取り返しがつく操作釦と取り返しがつかない操作釦を区別しないので、誤操作しても取り返しがつく操作釦についても、ユーザは表示画面を見ながら操作しなければならない。このため、操作に慣れている人にとっては、ちょっとした余所見もできなくなり、却って不便になる。
【００１０】
特許文献３の技術は、視線が多少ずれていても自動的に本来の視線の位置を判定する技術であり、上記の課題の解決には貢献しない。
【００１１】
本発明は、上記の問題を解決しようとするものであり、特定な操作釦に対する誤操作を防止しつつ、通常の操作釦に対する操作の利便性を維持することのできる操作装置および該操作装置を備えた画像処理装置を提供することを目的としている。
【課題を解決するための手段】
【００１２】
かかる目的を達成するための本発明の要旨とするところは、次の各項の発明に存する。
【００１３】
［１］第１種の操作釦と第２種の操作釦を有する操作部と、
前記操作部を操作する操作者の視線を検出する視線検出部と、
前記操作部が有する操作釦に対する操作の有効・無効を判定する判定部と
を備え、
前記判定部は、操作者から操作を受けた操作釦が前記第１種の操作釦の場合は、該操作釦に対する操作を受けたときに該操作釦に対して操作者の視線がなければ前記操作を無効とし、操作者から操作を受けた操作釦が前記第２種の操作釦の場合は、該操作釦に対する操作を受けたときに該操作釦に対して操作者の視線があるか否かを該操作釦に対する操作の有効・無効を判定する条件に含めない
ことを特徴とする操作装置。
【００１４】
上記発明では、第１種の操作釦に対する操作は、操作者がその操作釦を見ていない場合は無効になり、第２種の操作釦に対する視線の有無は該操作釦に対する操作の有効無効に影響しない。たとえば、視線の有無に係らず有効にされる。
【００１５】
［２］前記第１種の操作釦は、処理の実行開始、入力の確定、処理の中止、入力値のリセットのいずれかの指示を受ける操作釦であり、
前記第２種の操作釦は、処理の実行開始と、入力の確定と、処理の中止と入力値のリセット以外の指示を受ける操作釦である
ことを特徴とする［１］に記載の操作装置。
【００１６】
上記発明では、処理の実行開始、入力の確定、処理の中止などの指示を受ける操作釦は、誤操作が取り返しのつかない操作ミスになるので第１種の操作釦にされ、第２種の操作釦は、上記以外の操作釦にされる。
【００１７】
［３］前記操作部が有する操作釦毎に、前記第１種の操作釦に設定するか前記第２種の操作釦に設定するかを切り替える設定切替部を有する
ことを特徴とする［１］または［２］に記載の操作装置。
【００１８】
上記発明では、操作釦毎に、第１種の操作釦に設定するか第２種の操作釦に設定するかを切り替えることができる。
【００１９】
［４］複数種類のジョブについて、ジョブの設定投入の操作を受け付ける機能を有し、
前記設定切替部は、所定の操作釦を前記第１種の操作釦に設定するか前記第２種の操作釦に設定するかを、前記操作部で設定投入の操作を受けるジョブの種類に応じて変更する
ことを特徴とする［３］に記載の操作装置。
【００２０】
上記発明では、一の操作釦を第１種の操作釦に設定するか第２種の操作釦に設定するかが、操作部で設定投入の操作を受けるジョブの種類に応じて自動的に変更される。
【００２１】
［５］各種の画面を表示する表示部を備え、
前記設定切替部は、所定の操作釦を前記第１種の操作釦に設定するか前記第２種の操作釦に設定するかを、前記表示部に表示された画面に応じて変更する
ことを特徴とする［３］に記載の操作装置。
【００２２】
上記発明では、所定の操作釦を第１種の操作釦に設定するか第２種の操作釦に設定するかが、表示部に表示された画面に応じて自動的に変更される。
【００２３】
［６］操作者の視線が、操作を受けた操作釦の存在範囲または該操作釦の中央の所定範囲にある場合に、該操作釦に対して操作者の視線があると判定する
ことを特徴とする［１］乃至［５］のいずれか１つに記載の操作装置。
【００２４】
上記発明では、第１種の操作釦に対する操作は、操作者がその操作釦の存在範囲あるいはその操作釦の中央部を見ていない場合には、無効にされる。
【００２５】
［７］画像処理部と、
前記画像処理部で行うジョブの投入の操作を受け付ける［１］乃至［６］のいずれか１つに記載の操作装置と
を有する
ことを特徴とする画像処理装置。
【発明の効果】
【００２６】
本発明に係る操作装置および画像処理装置によれば、特定な操作釦に対する誤操作を防止しつつ、通常の操作釦に対する操作の利便性を維持することができる。
【図面の簡単な説明】
【００２７】
【図１】本発明の実施の形態に係る画像処理装置と、画像処理装置を遠隔操作する操作表示装置を示す図である。
【図２】画像処理装置の概略構成を示すブロック図である。
【図３】操作表示装置の概略構成を示すブロック図である。
【図４】操作パネルを示す正面図である。
【図５】操作者がスタート釦を見ながらスタート釦を操作した様子を示す図である。
【図６】操作者がスタート釦を見ずにスタート釦を操作した様子を示す図である。
【図７】操作者がテンキーを見ずにテンキーを操作した様子を示す図である。
【図８】管理テーブルの一例を示す図である。
【図９】表示部に宛先操作画面が表示された状態の操作パネルを示す図である。
【図１０】表示部に宛先入力画面が表示された状態の操作パネルを示す図である。
【図１１】管理テーブル（操作釦別画面別）の一例を示す図である。
【図１２】管理テーブル（操作釦別機能モード別）の一例を示す図である。
【図１３】操作釦の操作を受ける画像処理装置が行う処理を示す流れ図である。
【図１４】操作表示装置から表示部を取り去った構成の操作装置を示すブロック図である。
【発明を実施するための形態】
【００２８】
以下、図面に基づき本発明の実施の形態を説明する。
【００２９】
図１は、本発明の実施の形態に係る画像処理装置１０と、画像処理装置１０を遠隔操作するための操作表示装置４０を示している。操作表示装置４０は、ＬＡＮ（Local Area Network）などのネットワークを介して画像処理装置１０と通信可能に接続される。画像処理装置１０と操作表示装置４０との接続は無線通信でも有線通信でもよいが、無線通信が好ましい。
【００３０】
画像処理装置１０は、原稿を光学的に読み取ってその複製画像を記録紙に印刷するコピー機能、読み取った原稿の画像データをファイルにして保存したり外部端末へネットワークを通じて送信したりするスキャン機能、ＰＣなどからネットワークを通じて受信した印刷データに係る画像を記録紙上に形成して印刷出力するプリンタ機能、ファクシミリ手順に従って画像データを送受信するファクシミリ機能などを備えた、所謂、複合機（ＭＦＰ）である。
【００３１】
画像処理装置１０および操作表示装置４０はそれぞれ、操作者の視線を検出する。そして、第１種の操作釦（視線要釦とする）については、操作を受けたときにその操作釦に対して操作者の視線がなければその操作を無効とする機能を備えている。第２種の操作釦（視線不要釦とする）については、操作を受けたときにその操作釦に対して操作者の視線があるか否かはその操作の有効無効の判定に含まれない。
【００３２】
ここでは、第１種の操作釦については、操作を受けたときにその操作釦に対して操作者の視線があれば有効とし、視線がなければ無効とする。第２種の操作釦については、操作を受けたときにその操作釦に対して操作者の視線があってもなくても、その操作を有効とする。
【００３３】
図２は、画像処理装置１０の概略構成を示すブロック図である。画像処理装置１０は、当該画像処理装置１０の動作を統括的に制御する制御部としてのＣＰＵ(Central Processing Unit)１１を有している。ＣＰＵ１１にはバスを通じてＲＯＭ(Read Only Memory)１２、ＲＡＭ(Random Access Memory)１３、不揮発メモリ１４、ハードディスク装置１５、自動原稿搬送部（ＡＤＦ：Auto Document Feeder）１８、画像読取部１９、操作部２１、表示部２２、画像処理部２３、プリンタ部２４、認証部２５、ネットワーク通信部２６、ファクシミリ通信部２７、視線検出部２８などが接続されている。
【００３４】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで画像処理装置１０の各機能が実現される。
【００３５】
ＲＡＭ１３は、ＣＰＵ１１がプログラムに基づいて処理を実行する際に各種のデータを一時的に格納するワークメモリや画像データを格納する画像メモリなどとして使用される。
【００３６】
不揮発メモリ１４は、電源をオフにしても記憶内容が破壊されないメモリ（フラッシュメモリ）であり、各種設定情報の保存などに使用される。
【００３７】
ハードディスク装置１５は大容量不揮発の記憶装置であり、印刷データ、表示用の画面のデータのほか各種のプログラムやデータが記憶される。ハードディスク装置１５には、各操作釦が視線要釦に設定されているか視線不要釦に設定されているかを示す有効無効情報が登録された管理テーブル１７が記憶されている。
【００３８】
画像読取部１９は、原稿を光学的に読み取って画像データを取得する機能を果たす。画像読取部１９は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００３９】
自動原稿搬送部１８は、原稿台にセットされた原稿をその最上のものから１枚ずつ順に繰り出して搬送し、画像読取部１９の読み取り位置を通過させて所定の排紙位置へ排紙する機能を果たす。画像読取部１９は、プラテンガラス上に載置された原稿を読み取る機能と、自動原稿搬送部１８によって搬送される原稿を順次読み取る機能を備えている。
【００４０】
操作パネル２０は、操作部２１と表示部２２を備え、各種の操作画面、設定画面等を表示する機能、ユーザからジョブの投入など各種の操作を受け付ける機能を果たす。表示部２２は液晶ディスプレイ（ＬＣＤ…Liquid Crystal Display）とそのドライバなどで構成される。操作部２１は、スタート釦やテンキーなどの各種ハードキーと、表示部２２の表示面上に設けられたタッチパネルとを備えている。タッチパネルは、表示部２２の表示面がタッチペンや指などで接触操作された座標位置を検出する。操作部２１は、タッチパネルを通じてフリック操作やドラッグ操作を受け付ける。
【００４１】
画像処理部２３は、画像の拡大縮小、回転などの処理のほか、印刷データをイメージデータに変換するラスタライズ処理、画像データの圧縮、伸張処理などを行う。
【００４２】
プリンタ部２４は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４３】
認証部２５は、画像処理装置１０を使用するユーザを認証する。認証方法は、パスワード、指紋、静脈など任意でよい。
【００４４】
ネットワーク通信部２６は、操作表示装置４０や外部のＰＣ、サーバなどと通信する機能を果たす。ネットワーク通信部２６は、有線通信と無線通信の双方可能に構成される。なお、有線通信と無線通信のいずれか一方のみ可能に構成されてもよい。
【００４５】
ファクシミリ通信部２７は、ファクシミリ機能を備えた外部装置と電話回線を通じて画像データを送受信する機能を果たす。
【００４６】
視線検出部２８は、画像処理装置１０の操作パネル２０を見ている操作者（使用者）の視線を検出する。視線の検出方法は任意でよい。たとえば、操作パネル２０の上縁中央にカメラを設け、このカメラが撮影した画像を解析し、顔の向きや目の中の瞳の位置などから操作者の視線を検出する。画像処理装置１０は、視線検出部２８で操作者の視線を検出することにより、該操作者が操作パネル２０のどの箇所を見ているかを認識する。
【００４７】
図３は、操作表示装置４０の概略構成を示すブロック図である。操作表示装置４０は、当該操作表示装置４０の動作を統括制御するＣＰＵ４１を有している。ＣＰＵ４１にはバスを通じてＲＯＭ４２と、ＲＡＭ４３と、不揮発メモリ４４と、ハードディスク装置４５と、操作部４８と、表示部４９と、ネットワーク通信部５１と、認証部５２と、視線検出部５３が接続されている。
【００４８】
ＣＰＵ４１は、ＯＳプログラムをベースとし、その上で、ミドルウェアやアプリケーションプログラムなどを実行する。ＲＯＭ４２には、各種のプログラムが格納されており、これらのプログラムに従ってＣＰＵ４１が各種処理を実行することで操作表示装置４０の機能が実現される。
【００４９】
ＲＡＭ４３は、ＣＰＵ４１がプログラムに基づいて処理を実行する際に各種のデータを一時的に格納したり、表示用のデータを格納したりするためのワークメモリとして使用される。
【００５０】
不揮発メモリ４４は、電源をオフにしても記憶内容が破壊されないメモリ（フラッシュメモリ）であり、各種設定情報の保存などに使用される。
【００５１】
ハードディスク装置４５は大容量不揮発の記憶装置であり、表示用の画面のデータのほか各種のプログラムやデータが記憶される。ハードディスク装置４５には、画像処理装置１０の管理テーブル１７と同様の管理テーブル４７が作成されて記憶される。
【００５２】
表示部４９は、各種の操作画面、設定画面等を表示する機能を果たす。表示部４９は液晶ディスプレイとそのドライバなどで構成される。操作部４８は操作者からジョブの投入など各種の操作を受ける機能を果たす。操作部４８は、スタート釦やテンキーなどの各種ハードキーと、表示部４９の表示面上に設けられたタッチパネルとを備えている。タッチパネルは、表示部４９の表示面がタッチペンや指などで接触操作された座標位置を検出する。操作部４８は、タッチパネルを通じてフリック操作やドラッグ操作を受け付ける。
【００５３】
ネットワーク通信部５１は、画像処理装置１０や外部のＰＣ、サーバなどと通信する機能を果たす。ネットワーク通信部５１は、有線通信と無線通信の双方可能に構成される。なお、有線通信と無線通信のいずれか一方のみ可能に構成されてもよい。
【００５４】
認証部５２は、当該操作表示装置４０を使用する操作者を認証する。ＩＤカード、指紋、ユーザＩＤとパスワードの照合などにより認証される。
【００５５】
視線検出部５３は、操作表示装置４０の操作者の視線を検出する。視線検出部２８と同様に、視線の検出方法は任意でよい。操作表示装置４０は、視線検出部５３で操作者の視線を検出することにより、該操作者が操作表示装置４０のどの部分（表示部４９のどの部分、どの操作釦）を見ているかを認識する。
【００５６】
次に、画像処理装置１０の操作パネル２０にて操作者から操作を受ける場合の動作について説明する。なお、操作者から操作を受ける場合の動作は、画像処理装置１０と操作表示装置４０で同様の動作となるため、ここでは、画像処理装置１０の動作を説明し、操作表示装置４０の動作の説明は省略する。
【００５７】
図４は、画像処理装置１０の操作パネル２０の外観を示す正面図である。なお、操作表示装置４０の正面も図４と同様のため、その説明は省略する。操作パネル２０の左半分に、表示部２２が配置され、右半分には各種のハードキーが配置されている。具体的には、０から９の数字の入力釦および＊、＃の入力釦からなるテンキー３１、スタート釦３２、ストップ釦３３、ヘルプ釦３４、リセット釦３５などがハードキーとして設けられている。また、操作パネル２０の中央上部には、視線検出部２８が有するカメラのレンズ（光の取り入れ口）が配置されている。
【００５８】
図５は、操作者がスタート釦３２を見ながらスタート釦３２を操作した様子を示している。スタート釦３２は、ジョブの実行開始を指示する重要な操作釦である。スタート釦３２に対する誤操作は取り返しのつかない重度の操作ミスである。そこで、スタート釦３２を視線要釦に設定する。画像処理装置１０は、操作者からスタート釦３２に対する操作を受けたときに操作者がスタート釦３２を見ていれば（操作者の視線がスタート釦３２にあれば）、該スタート釦３２に対する操作を有効と判定して受け付ける。
【００５９】
一方、図６に示すように、操作者からスタート釦３２に対する操作を受けたときに操作者がスタート釦３２を見ていなければ（操作者の視線がスタート釦３２になければ）、該スタート釦３２に対する操作を無効と判定して受け付けない。
【００６０】
図６の例では、操作者は表示部２２の表示を見たまま、スタート釦３２を見ないでスタート釦３２を操作しているので、この操作は無効にされる。
【００６１】
テンキー３１は、送信宛先の電話番号を入力したり、暗証番号を入力したりする際に使用される。たとえば、電話番号を入力する際のテンキー３１の誤操作は、入力内容を修正できるので、取り返しのつく軽度の操作ミスである。そこで、テンキー３１を視線不要釦に設定する。画像処理装置１０は、操作者からテンキー３１の操作を受けたときに操作者がそのテンキー３１を見ているか否かに係らず、すなわち、操作者の視線が操作中のテンキー３１の上になくても、該テンキー３１に対する操作を有効と判定して受け付ける。
【００６２】
たとえば、図７に示すように、操作者が表示部２２を見ながらテンキー３１を操作した場合でも、該テンキー３１に対する操作を有効と判定して受け付ける。
【００６３】
図８は、管理テーブル１７の一例を示している。管理テーブル１７には、操作釦毎に、その操作釦が視線要釦に設定されているか視線不要釦に設定されているかを示す有効無効情報が登録される。詳細には、操作釦毎に、操作釦の名称と、視線ありの時の有効・無効情報（図中の「あり」の項目に登録された情報）と、視線なしの時の有効・無効情報（図中の「なし」の項目に登録された情報）が対応付けて登録されている。
【００６４】
視線ありの時の有効無効情報は、ある操作釦が操作されたときにその操作釦に操作者の視線があった場合にこの操作を有効とするか無効とするかを示す情報である。視線なしの時の有効無効情報は、ある操作釦が操作されたときにその操作釦に操作者の視線がない場合にこの操作を有効とするか無効とするかを示す情報である。
【００６５】
図８の管理テーブル１７において、視線「あり」の項目に「有効」、視線「なし」の項目に「無効」と設定された操作釦は視線要釦である。図８の管理テーブル１７において、視線「あり」の項目に「有効」、視線「なし」の項目に「有効」と設定された操作釦は視線不要釦である。
【００６６】
図８に示す管理テーブル１７によれば、スタート釦３２は視線要釦に設定されており、操作されたときに該操作釦に視線があると該操作は有効にされ、操作されたときに該操作釦に視線がないと該操作は無効にされる。ストップ釦３３も視線要釦に設定されており、操作されたときに該操作釦に視線があると該操作は有効にされ、操作されたときに該操作釦に視線がないと該操作は無効にされる。
【００６７】
テンキー（１）（数字１の入力釦）は、視線不要釦に設定されている。テンキー（１）が操作されたときに該操作釦に視線があると該操作は有効にされ、操作されたときに該操作釦に視線がなくても該操作は有効にされる。テンキー（２）についても同様である。
【００６８】
なお、図８および後述する図１１、図１２に示す管理テーブル１７の設定はユーザ（たとえば、管理者等）が任意に設定変更することができる。すなわち、管理テーブル１７の登録内容を変更することで、各操作釦を視線要釦とするか視線不要釦とするかを任意に設定変更することができる。
【００６９】
＜具体例＞
画像処理装置１０においてScanToEmail送信のジョブを行う場合について説明する。ScanToEmail送信のジョブは、画像読取部１９で原稿を光学的に読み取って得た画像をファイル化し、このファイルを添付した電子メール（Email）を指定された宛先に送信するジョブである。
【００７０】
このジョブは、ユーザが画像読取部１９に原稿をセットし、操作パネル２０の表示部２２に表示された宛先リストの中から所望の宛先をタッチ操作によって選択し、スタート釦３２を押すという手順で実行される。通常、画像処理装置１０は、スタート釦３２が押下されたら直ちに送信を開始する。
【００７１】
ところで、操作者が表示部２２に表示された画面を見ながらテンキー３１を押下しようとしたとする。たとえば、宛先入力時に、メールアドレスを入力する場合にテンキー３１を操作したとする。このときに操作者が、ハードキーの方を見ずに、表示部２２上の画面を見ながらテンキー３１を操作していたので、操作者の小指等がスタート釦３２に誤って触れてしまい、意図せずにスタート釦３２を押下してしまったとする。
【００７２】
しかしながら、スタート釦３２は視線要釦に設定されているので、スタート釦３２に対する操作は無効にされる。なお、テンキー３１は視線不要釦に設定されているので、操作者は表示部２２上の画面を見ながらテンキー３１を操作することができる。
【００７３】
詳細には、画像処理装置１０のＣＰＵ１１は、操作パネル２０において操作者から任意の操作釦の操作を受けると、管理テーブル１７を参照し、操作された操作釦（この例ではスタート釦３２）が視線要釦に設定されているか視線不要釦に設定されているかを確認する。操作を受けた操作釦が視線不要釦に設定されている場合は、該操作を有効にする。
【００７４】
操作を受けた操作釦が視線要釦に設定されている場合は、視線検出部２８によって検出された操作者の視線の位置が、操作を受けた操作釦の上にあるか否かを確認する。操作された操作釦に操作者の視線があれば、今回の操作を有効とし、今回操作された操作釦に操作者の視線がなければ、今回の操作を無効にする。
【００７５】
なお、判定の手順は上記に限らず、以下でもよい。押下された操作釦に視線があるか否かを検知し、視線がある場合は、管理テーブル１７に登録されているその操作釦の「視線あり」に対する有効無効情報に従って今回の操作の有効無効を判定し、視線がない場合は、管理テーブル１７に登録されているその操作釦の「視線なし」に対する有効無効情報に従って今回の操作の有効無効を判定する。
【００７６】
このように、画像処理装置１０の操作パネル２０には、操作されたときにその操作釦に操作者の視線がある場合だけ有効になる視線要釦と、操作されたときにその操作釦に操作者の視線があるか否かに係らず有効になる視線不要釦が設けられている。誤操作が取り返しのつかない操作ミスになる操作釦を視線要釦に設定し、誤操作しても取り返しのつく操作釦を視線不要釦に設定しておけば、取り返しのつかない誤操作を防止しつつ、通常の操作での利便性（別の箇所を見ながら操作できる利便性）を確保することができる。
【００７７】
次に、一の操作釦に関する視線の要否の設定が、表示部２２に表示されている画面に応じて切り替わる場合について説明する。
【００７８】
図９は、表示部２２に宛先操作画面８０が表示された状態の操作パネル２０を示している。宛先操作画面８０では、現在入力した宛先に対して送信を実行する操作や、宛先リストに宛先を追加する操作を受け付ける。通常、テンキー３１は数値の入力で使用されるが、図９に示す宛先操作画面８０では、ショートカットキーとして利用される。
【００７９】
具体的には、テンキー（１）は宛先追加釦８１と同じ機能を果たし、テンキー（２）は送信実行釦８２と同じ機能を果たす。そこで、画像処理装置１０は、表示部２２に宛先操作画面８０を表示している状態では各テンキー３１を視線要釦に設定する。
【００８０】
たとえば、表示部２２に宛先操作画面８０が表示された状態でテンキー（１）が押下されたときに操作者の視線がテンキー（１）にあれば、画像処理装置１０は、当該操作を有効とし、宛先追加釦８１が操作された場合と同様に、表示部２２に表示する画面を図１０に示す宛先入力画面８５に遷移させる。
【００８１】
一方、表示部２２に宛先操作画面８０が表示された状態でテンキー（１）が押下されたときに操作者の視線がテンキー（１）になければ、画像処理装置１０は、当該操作を無効にする。
【００８２】
また、図９に示すように、表示部２２に宛先操作画面８０が表示された状態でテンキー（２）が押下されたときに操作者の視線がテンキー（２）にあれば、画像処理装置１０は、当該操作を有効とし、送信実行釦８２が操作された場合と同様に、送信処理を実行する。
【００８３】
一方、表示部２２に宛先操作画面８０が表示された状態でテンキー（２）が押下されたときに操作者の視線がテンキー（２）になければ、画像処理装置１０は、当該操作を無効とし、送信処理を実行しない。
【００８４】
図１０に示す宛先入力画面８５では、テンキー３１は数値の入力に使用される。画像処理装置１０は、表示部２２に宛先入力画面８５を表示した状態では、テンキー３１を視線不要釦に設定する。なお、図１０の宛先入力画面８５の中にあるテンキー８６はソフトウェアキーボードであり、押下すると数値が宛先欄８７に入力される。
【００８５】
たとえば、表示部２２に宛先入力画面８５が表示された状態でハードキーであるテンキー（１）が押下されたときに、操作者が宛先入力画面８５を見ているために操作者の視線がテンキー（１）にない場合でも、画像処理装置１０は、当該操作を有効とする。具体的には、数字「１」の入力を受け付けて、宛先欄８７に「１」を追加表示する。
【００８６】
図１１は、各操作釦を視線要釦に設定するか視線不要釦に設定するかを画面毎に変更する場合に対応した管理テーブル１７を示している。図１１に示す管理テーブル１７には、操作釦毎に、宛先操作画面８０が表示されている場合の設定（有効無効情報）と宛先入力画面８５が表示されている場合の設定（有効無効情報）が登録されている。この例では、テンキー（１）、テンキー（２）、テンキー（３）…は宛先操作画面８０が表示された場合には視線要釦に設定され、宛先入力画面８５が表示された場合には視線不要釦に設定される。
【００８７】
ＣＰＵ１１は、各操作釦に対する設定を自動的に切り替える設定切替部としての機能を果たす。具体的には、ＣＰＵ１１は任意の操作釦が操作されたとき、その時点で表示部２２に表示されている画面を特定し、その特定した画面に対応する部分の有効無効情報を管理テーブル１７から取得し、該有効無効情報に基づいて、操作された操作釦が視線要釦に設定されているか視線不要釦に設定されているかを認識する。
【００８８】
次に、一の操作釦に関する視線の要否の設定が、機能モードによって切り替わる場合について説明する。
【００８９】
画像処理装置１０は、設定投入されるジョブの種類に対応した複数の機能モードを備えている。画像処理装置１０は、各ジョブの設定投入操作を受ける際に、まず、機能モードの選択を受ける。たとえば、コピージョブに関する設定投入操作を行う場合、ユーザは、まず、機能モードの１つであるコピーモードを選択する。画像処理装置１０は、コピーモードの選択操作を受けると、コピージョブ用の設定画面を表示部２２に表示して各種の設定操作を受け付ける。
【００９０】
機能モードには、コピージョブの設定投入を受け付けるコピーモード、ScanToEmail送信などのスキャンジョブの設定投入を受け付けるスキャンモード、ファクシミリジョブの設定投入を受け付けるＦＡＸモード、ボックスへの入出力を行うボックスジョブの設定投入を受け付けるＢＯＸモードなどがある。ボックスは、ユーザ別やグループ別に区分けされた記憶領域である。通常、ボックス毎にＩＤとパスワードが設定されている。ＩＤでボックスの選択を行う。ボックスに記憶されているファイルのプリント出力等には正しいパスワードの入力が要求される。
【００９１】
図１２は、１つの操作釦を視線要釦とするか視線不要釦とするかの設定（有効無効情報）を機能モード毎に登録した管理テーブル１７の一例を示している。図１２では、スタート釦３２に対するコピーモードでの設定と、スキャンモードでの設定と、ＦＡＸモードでの設定と、ＢＯＸモードでの設定が登録されている。
【００９２】
ＣＰＵ１１は、選択された機能モードに対応する部分の管理テーブル１７を参照する。これにより、スタート釦３２を視線要釦に設定するか視線不要釦に設定するかが、選択された機能モードに応じて自動的に切り替わる。
【００９３】
図１２の例では、スタート釦３２は、コピーモードとＢＯＸモードでは視線不要釦になり、スキャンモードとＦＡＸモードでは視線要釦になるように自動的に切り替えられる。スキャンモードやＦＡＸモードでは送信処理が実行されるので、スタート釦３２の誤操作は取り返しのつかない操作ミスとなる。そのため、これらの機能モードではスタート釦３２は視線要釦にされる。
【００９４】
図１３は、操作釦の操作を受ける画像処理装置１０が行う処理の流れを示している。画像処理装置１０のＣＰＵ１１は、操作パネル２０に設けられているいずれかの操作釦が押下されたら（ステップＳ１０１；Ｙｅｓ）、装置状態を示す情報を取得する（ステップＳ１０２）。ここでは、装置状態を示す情報として、現在の機能モードと、表示部２２に表示中の画面の識別情報（画面ＩＤなど）を取得する。
【００９５】
また、押下された操作釦を特定する情報を取得する（ステップＳ１０３）。
【００９６】
次に、ステップＳ１０３で特定した操作釦の、ステップＳ１０２で取得した装置状態に対応する部分の管理テーブル１７を参照して、当該装置状態の当該操作釦に対して設定されている有効無効情報を取得する（ステップＳ１０４）。
【００９７】
次に、押下された操作釦に操作者の視線があるか否かを視線検出部２８の検出結果から認識する（ステップＳ１０５）。押下された操作釦に操作者の視線がある場合は（ステップＳ１０５；Ｙｅｓ）、ステップＳ１０４で取得した有効無効情報の内容が、視線ありのときに操作を有効にする設定か否かを確認する（ステップＳ１０６）。
【００９８】
ステップＳ１０４で取得した有効無効情報の内容が、視線ありのときに操作を有効にする設定であれば（ステップＳ１０６；Ｙｅｓ）、この操作釦に対する今回の操作を有効と判定し、対応する処理を実行して（ステップＳ１０７）、本処理を終了する（エンド）。ステップＳ１０４で取得した有効無効情報の内容が、視線ありのときに操作を無効にする設定であれば（ステップＳ１０６；Ｎｏ）、この操作釦に対する今回の操作を無効と判定し、本処理を終了する（エンド）。
【００９９】
押下された操作釦に操作者の視線がない場合は（ステップＳ１０５；Ｎｏ）、ステップＳ１０４で取得した有効無効情報の内容が、視線なしのときに操作を有効にする設定か否かを確認する（ステップＳ１０８）。
【０１００】
ステップＳ１０４で取得した有効無効情報の内容が、視線なしのときに操作を有効にする設定であれば（ステップＳ１０８；Ｙｅｓ）、この操作釦に対する今回の操作を有効と判定し、対応する処理を実行して（ステップＳ１０９）、本処理を終了する（エンド）。ステップＳ１０４で取得した有効無効情報の内容が、視線なしのときに操作を無効にする設定であれば（ステップＳ１０８；Ｎｏ）、この操作釦に対する今回の操作を無効と判定し、本処理を終了する（エンド）。
【０１０１】
以上の動作は、操作表示装置４０においても同様である。
【０１０２】
このように、画像処理装置１０、操作表示装置４０では、誤操作が取り返しのつかない操作ミスになる操作釦を視線要釦に設定し、誤操作しても取り返しのつく操作釦を視線不要釦に設定することができる。これにより、取り返しのつかない誤操作を防止しつつ、通常の操作での利便性（別の箇所を見ながら操作できる利便性）を確保することができる。
【０１０３】
また、表示部２２、４９に表示された画面の種類や選択されている機能モードに応じて、自動的に、各操作釦に対する視線の要否に関する設定を切り替えるので、装置状態によって操作釦の役割等が変化する場合にも対応することができる。
【０１０４】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０５】
実施の形態では、画像処理装置１０を複合機としたが、画像処理部と該画像処理部に実行させるジョブの設定投入の操作を受け付ける操作装置とを備える装置であれば、複写機やプリンタなど他の種類の装置でも本発明は適用される。
【０１０６】
視線要釦としてスタート釦３２、ストップ釦３３を例示したが、処理の実行開始、入力の確定、処理の中止、入力値のリセットのいずれかの指示を受け付ける操作釦については視線要釦に設定することが好ましい。一方、処理の実行開始と、入力の確定と、処理の中止と、入力値のリセット以外の指示を受ける操作釦については、視線不要釦に設定することが好ましい。入力値のリセットを含めるのは、手間をかけて入力した入力値が誤ってリセット釦を押下した為にすべてが消えてしまうことを防止するためである。
【０１０７】
また、視線の要否が判断される操作釦はハードキーに限定されず、表示部２２等に表示される操作釦（ソフトキー）でもよく、操作者の操作を受け付ける任意の操作釦でよい。
【０１０８】
実施の形態において、視線要釦については操作された操作釦に視線がある場合は操作を有効としたが、視線がない場合に操作を無効にすればよく、操作を有効にする条件は視線以外の条件が加味されてもよい。また、視線不要釦については、視線の有無に係らず該操作釦に対する操作を有効としたが、視線の有無を該操作釦に対する操作の有効無効を判定する条件に含めなければよく、たとえば、別の条件に基づいて操作の有効無効を判定するように構成されてもよい。
【０１０９】
また、本発明の操作装置として、画像処理装置１０を遠隔操作する操作表示装置４０を例示したが、これに限定されない。また、本発明の操作装置は、図１４に示すように、図３の操作表示装置４０から表示部４９を取り去った構成の操作装置４０Ｂとして構成されてもよい。
【０１１０】
本実施の形態では、操作釦の存在する範囲に視線があるか否かを判定したが、各操作釦に対する視線の有効範囲は、必ずしも操作釦の存在範囲と一致しなくてもよい。たとえば、操作釦とその近傍の周囲を含む範囲、あるいは、操作釦の中央の所定範囲、操作釦の機能を示す文字が表示されている範囲などとしてもよい。また、テンキーについては、個々のテンキーに対する視線の有効範囲をそれぞれのテンキーの存在範囲としたが、たとえば、各テンキーに対する視線の有効範囲をテンキー群の存在範囲としてもよい。
【０１１１】
実施の形態では,管理テーブル１７の登録内容を任意にユーザが変更可能としたが、予め登録された内容をユーザが変更できない構成でもよい。
【０１１２】
また、実施の形態では、操作釦が押下されたときの視線の位置によってその操作の有効無効を判定したが、操作釦が押下される直前の視線の位置を勘案するようにしてもよい。たとえば、押下する前に釦の位置を視線で確認し、指先がその操作釦に近づいたら視線を他の場所に移動させるような操作がされた場合にも有効操作として対応することができる。
【符号の説明】
【０１１３】
１０…画像処理装置
１１…ＣＰＵ
１２…ＲＯＭ
１３…ＲＡＭ
１４…不揮発メモリ
１５…ハードディスク装置
１７…管理テーブル
１８…自動原稿搬送部
１９…画像読取部
２０…操作パネル
２１…操作部
２２…表示部
２３…画像処理部
２４…プリンタ部
２５…認証部
２６…ネットワーク通信部
２７…ファクシミリ通信部
２８…視線検出部
３１…テンキー
３２…スタート釦
３３…ストップ釦
３４…ヘルプ釦
３５…リセット釦
４０…操作表示装置
４０Ｂ…操作装置
４１…ＣＰＵ
４２…ＲＯＭ
４３…ＲＡＭ
４４…不揮発メモリ
４５…ハードディスク装置
４７…管理テーブル
４８…操作部
４９…表示部
５１…ネットワーク通信部
５２…認証部
５３…視線検出部
８０…宛先操作画面
８１…宛先追加釦
８２…送信実行釦
８５…宛先入力画面
８６…テンキー
８７…宛先欄
【図２】
2015028733.tif 000003
【図３】
2015028733.tif 000004
【図８】
2015028733.tif 000005
【図１１】
2015028733.tif 000006
【図１２】
2015028733.tif 000007
【図１３】
2015028733.tif 000008
【図１４】
2015028733.tif 000009
【図１】
2015028733.tif 000010
【図４】
2015028733.tif 000011
【図５】
2015028733.tif 000012
【図６】
2015028733.tif 000013
【図７】
2015028733.tif 000014
【図９】
2015028733.tif 000015
【図１０】
2015028733.tif 000016